(57)【要約】      （修正有）【課題】カップ部を組み合わせたシェイパーであって、胸やお尻の丸みが加わりウエストが細く見え、また肩甲骨の動きが妨げられないシェイパーを提供する。【解決手段】シェイパーは前身頃と後身頃を縫い合わせて構成し、前身頃と後身頃の縫い目は概略Ｓ字状に湾曲し、そして背面には一重生地から成って上縁６から下方へ延びる肩甲骨パネル５を左右対称に配置している。【選択図】図２
0003216893.tif 000002
【実用新案登録請求の範囲】
【請求項１】
カップ部を組み合わせたシェイパーにおいて、該シェイパーは前身頃と後身頃を縫い合わせて構成し、前身頃と後身頃の縫い目は概略Ｓ字状に湾曲し、そして背面には一重生地から成って上縁から下方へ延びる肩甲骨パネルを左右対称に配置したことを特徴とするカップ付きシェイパー。
【請求項２】
上記肩甲骨パネルの外側には２重構造から成る肩甲骨側部パネルを配置した請求項１記載のカップ付きシェイパー。
【請求項３】
背面中央部には２重構造から成る概略十字状の背面中央パネルを配置した請求項１、又は請求項２記載のカップ付きシェイパー。
【考案の詳細な説明】
【技術分野】
【０００１】
本考案は通気性に優れて夏は涼しく、冬は暖かく、また肩甲骨の動き易さと良好な着心地を実現したシェイパーに関するものである。
【背景技術】
【０００２】
シェイパーとは女性用ファウンデーション の一種で、ブラジャーとウエストニッパーが一体となったものであり、バスト部分とウエスト部分の補整を１つの下着で補うことができる。
ボディスーツやガードル等の補整下着類は多くの各種形態及びサイズがあり、夫々の着用者は自己に適したものを使用している。従来の補整下着はトップバスト周囲長、ウエスト周囲長、ヒップ周囲長といった限られた部位の周囲長のみが表示され、各個人毎の身体に適合することは容易でない。
【０００３】
そこで、近時では編み立て方法を変えることにより、一枚の生地の所定個所での引張力に強弱を付け、身体に自然に適合するように構成している。
ヒップアップ効果を発揮するものや着用者の下腹部から鼠経部及び大腿部にかけて凹凸部を補整する補整スペーサーを配設したもの、更に左右のリアパーツをフロントパーツに対して着脱自在に連結したものなどが知られている。
【０００４】
特開２０１３−４４０５４号に係る「経編凹凸生地を裏当てに用いた補整下着」は、ボディシェイパー，カードル等の補整下着において裏当てにズレない生地を使うことで補整力を強化し、着用したてのズレのない状態を長く保ち、快適な着用感を保てるようにしている。
ボディシェイパー，カードル等の補整下着において、所要の補整部位の内面に伸縮性のある地組織上に非伸縮性の太い柄糸を編込み密に配置することにより、伸縮性のない編目を浮き上がらせ、凸部を作成した凹凸感を有するラッセル編地素材を裏当てに用いて縫着している。
【０００５】
肩や腰、腕や肌など、年齢と共に悩みは増えていく。背筋が曲がり、肩甲骨が開いて巻き肩になると姿勢の悪さだけでなく、肥満や肩凝り、肌荒れを招き老化に繋がる。
ところで、従来から色々なシェイパーが販売されて来ているが、身体の動き易さと着心地を実現したものは存在しない。
【特許文献１】特開２０１３−４４０５４号に係る「経編凹凸生地を裏当てに用いた補整下着」
【考案の開示】
【考案が解決しようとする課題】
【０００６】
このように従来のシェイパーには上記のごとき問題がある。本考案が解決しようとする課題はこれら問題点であり、着心地が良好で、腕や肩を無理なく動かすことが出来、背筋を楽に伸ばせ、さらに通気性に優れて夏は涼しく、冬は暖かいカップ付きシェイパーを提供する。
【課題を解決するための手段】
【０００７】
本考案のシェイパーはブラジャーとウエストニッパーを組み合わせて構成し、バスト部分とウエスト部分の補整を１つの下着で補うことができる。しかし、ブラジャーとウエストニッパーが一体化した形態ではなく、カップを取付けて構成している。
肩甲骨は背中の上方左右にあり、腕と体幹を繋ぐ働きをしている。そして、肩甲骨は肋骨に載るように位置しているが、肋骨と肩甲骨の間に筋肉があるために直結はしていない。
肩甲骨は左右・上下に動き、回転することで腕を自由に動かせる仕組みに成っている。腕の動きを助ける他に、胸を張る動作も肩甲骨によって行われる。
ところで、本考案では肩甲骨の部位に肩甲骨パネルを配置し、該肩甲骨パネルは肩甲骨の動きを妨げず、より動き易いように素肌感覚の一重構造としている。
【０００８】
そして、女性用下着である本考案のシェイパーは、着用することで身体の線を美しく整えるために、前身頃と後身頃の縫い目はＳラインを形成している。すなわち、前身頃と後身頃の切口は真っ直ぐでなく、Ｓ字状にカットされて縫い合わされ、このＳ字は女性のボディラインのシルエットを象徴する。すなわち、バスト部、ヒップ部の丸み感を出し、ウエスト部は痩せ見え効果を実現する。
また、正面中央部にはお腹すっきりパネルを配置し、裏打ち２重構造とし、肩甲骨パネルの側部には２重構造で適度な圧をかけて両肩甲骨を中央に引寄せる為に肩甲骨側部パネルを配置している。
【考案の効果】
【０００９】
本考案のカップ付きシェイパーは、ブラジャーを一体化した形態でなく、カップ部を取付けて構成することで、サイズを多様化することが可能となり、バストを安定して支えると共に整えることが出来る。
そして、本考案のシェイパーは肩甲骨の部位には一重構造の肩甲骨パネルを配置していることで肩甲骨の動きを妨げず、より動き易いように成っている。
肩甲骨は肋骨に載るように位置しているが、肋骨と肩甲骨の間に筋肉があるために直結はしておらず、肩甲骨は左右・上下に動き、回転することで腕を自由に動かせる仕組みに成っている。すなわち、上記肩甲骨パネルは肩甲骨の左右・上下の動き及び回転を妨げることなく、腕を自由に動かすことが出来る。
【００１０】
そして、前身頃と後身頃の縫い目はＳラインを形成していることで、女性らしい身体のシルエットを象徴することが出来る。すなわち、Ｓ字にカッティングすることで、胸やお尻に丸みが加わり、ウエストが細く見える効果がある。
上記お腹すっきりパネルは裏打ちした２重構造であり、また表面に華やかなレース生地を縫い合わせることで、エレガントなデザインとなり、より一層細見え効果が得られる。
【図面の簡単な説明】
【００１１】
【図１】本考案に係るシェイパーを示す実施例であり、正面図を表している。
【図２】本考案に係るシェイパーを示す実施例であり、背面図を表している。
【図３】本考案に係るシェイパーを示す実施例であり、側面図を表している。
【考案を実施するための形態】
【００１２】
図１〜図３は本考案に係るカップ付きシェイパーを示す実施例であり、図１は正面図、図２は背面図、図３は側面図をそれぞれ表わしている。同図の１はシェイパー、２はカップ部、３は肩紐を表し、上記カップ部２は左右のカップ２ａ，２ｂを有し上記シェイパー１に縫い付けられている。
図１ではカップ部２が上記シェイパー１から取り外された状態を表しているが、基本的な形態は一般のブラジャーと共通している。そこで、本考案のカップ付きシェイパーは体形に合ったシェイパー１とカップ部２を選んで組み付けることが出来る。
【００１３】
上記カップ部２の左右のカップ２ａ，２ｂは肩紐３，３の先端部に連結し、両カップ２ａ，２ｂを繋いでいるパネルの両先端がシェイパー１に縫い付けられる。図１（ｂ）に示すカップ部２をシェイパー１に縫い付け・取付けた場合、図１（ａ）に示す点線で示した状態となる。
【００１４】
図１において、シェイパー１の正面中央部にはお腹すっきりパネル４を設けている。このお腹すっきりパネル４は裏打ちした２重構造とし、お腹部分を優しくカバーし、一般にはレース生地を表面に縫い合わせている。そのためにシェイパーはエレガントなデザインになり、また、２重構造としたことで膨らんだお腹を押えることが出来、一層細く見えるようになる。
【００１５】
背面を表す図２において、シェイパー１の上部左右に肩甲骨パネル５，５があり、肩甲骨が動き易いように一重構造としている。また、一重構造とすることで素肌のような感覚を楽しむことが出来る。
図２に示す肩甲骨パネル５，５は上縁６から下方へ半円弧状をして延びた形状としているが、この形状は特に限定しない。そして、肩甲骨パネル５，５の外側部には肩甲骨側部パネル７，７が設けられ、この肩甲骨側部パネル７，７は２重構造としている。
そのために、身体に程よい圧を付加し、肩甲骨を中央部へ寄せる効果があり、また背筋を伸ばすことが出来る。
【００１６】
肩甲骨は背中の上方左右にあり、腕と体幹を繋ぐ働きをしている。そして、肩甲骨は肋骨に載るように位置しているが、肋骨と肩甲骨の間に筋肉があるために直結はしていない。肩甲骨は左右・上下に動き、回転することで腕を自由に動かせる仕組みに成っている。腕の動きを助ける他に、胸を張る動作も肩甲骨によって行われる。
ところで、肩甲骨の部位に一重構造の肩甲骨パネルを配置することで、該肩甲骨パネルは肩甲骨の動きを妨げず、より動き易いようにしている。
【００１７】
そして、図２の８は背面中央パネルであり、その形状は概略十字を成し、２重構造としている。年齢を重ねるとついつい猫背になってしまうが、肩甲骨も固まり易くなる。
本考案のシェイパーは２重構造をした背面中央パネル８によって肋骨を無理なく開かせることが出来、着用するだけで、背面中央パネル８に引っ張り力が働いて背筋がスッキリ伸びるようになる。そして、上記背面中央パネル８の下部にはヒップパネル１２，１２が縫い付けられている。
【００１８】
図３は本考案のシェイパー１の側面図を表しているが、前身頃９と後身頃１０は縫い目１１にて繋がれている。従来のシェイパーでは前身頃９と後身頃１０を繋ぐ縫い目はストレートな直線であるが、本考案のシェイパー１では同図に示すように概略Ｓ字状に湾曲している。
【００１９】
このように、前身頃９と後身頃１０の縁をＳ字状にカッティングして繋ぐことで、縫い目１１は概略Ｓ字状となり、胸やお尻に丸みが加わり、ウエストも細く見えるようになる。
上記図２に示したヒップパネル１２，１２は背面中央パネル８の下側に縫い付けて設けられ、しかも立体裁断されていることで、お尻を潰すことなくふくよかにヒップラインを作ることが可能となる。
【符号の説明】
【００２０】
１   シェイパー
２   カップ部
３   肩紐
４   お腹すっきりパネル
５   肩甲骨パネル
６   上縁
７   肩甲骨側部パネル
８   背面中央パネル
９   前身頃
10   後身頃
11   縫い目
12  ヒップパネル
【図１】
0003216893.tif 000003
【図２】
0003216893.tif 000004
【図３】
0003216893.tif 000005